Podtech/llm-jp-corpus-v4-ja_patent huggingface dataset:
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
操作スイッチと、
前記操作スイッチに隣り合うように配され、前面が、前記操作スイッチの前面と略面一とされているコンセントカバー部材と、
前面が、前記コンセントカバー部材の前面と略面一とされているコンセント本体と、
を備えていることを特徴とする洗面化粧台。
【請求項２】
前面が、前記操作スイッチの前面と略面一にされている化粧カバーを更に備えることを特徴とする請求項１に記載の洗面化粧台。
【請求項３】
前記操作スイッチ及び前記コンセントカバー部材の上下幅は、前記化粧カバーの前面の上下幅と略同一にされていることを特徴とする請求項２に記載の洗面化粧台。
【請求項４】
前記操作スイッチ及び前記コンセントカバー部材の上部に設けられたミラーキャビネットを更に備え、
前記ミラーキャビネットは、開閉可能なミラー部と、前記ミラー部の後方に配された収納部と、を備えており、
前記化粧カバーの上端には、前記ミラー部よりも後方まで凹んだ凹部が備えられていることを特徴とする請求項２乃至３のいずれか１項に記載の洗面化粧台。
【請求項５】
前記ミラー部の横幅と、前記化粧カバーの横幅とは、略同一であることを特徴とする請求項４に記載の洗面化粧台。
【請求項６】
水栓本体と、前記水栓本体に接続された吐水管と、を更に備え、
前記水栓本体は、前記化粧カバーによって覆われており、
前記化粧カバーには、前記吐水管を出すための開口が設けられていることを特徴とする請求項２乃至５のいずれか一項に記載の洗面化粧台。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
遊技媒体を投入して遊技が開始される遊技機であって、
外周面に複数の図柄が付された複数の回転リールと、
前記複数の回転リールを回転させるスタートスイッチと、
回転中の前記回転リールを個々に停止させる複数の停止スイッチと、
小役を含む複数種類の役について当選か否かの役抽選を行う役抽選手段と、
前記スタートスイッチの操作信号の入力に基づき前記回転リールの回転を制御し、前記停止スイッチの操作信号の入力に基づき回転中の前記回転リールの停止を制御するリール制御手段と、
特定の役の入賞を補助する補助演出が行われる補助演出状態の開始及び終了を制御する補助演出制御手段と、を備え、
前記補助演出状態を開始し得る所定の遊技区間の終了時に、前記補助演出状態に関する有利度の設定を初期状態に戻す初期化処理を実行可能であることを特徴とする遊技機。
【請求項２】
遊技媒体の想定払出数がそれぞれ異なる複数段階の出玉の設定を有し、
設定変更操作部の操作に基づいて、前記出玉の設定を変更する設定変更制御手段を備え、
前記設定変更制御手段により設定変更が行われた場合に、前記補助演出状態に関する所定の項目について初期化処理が行われ、
前記所定の遊技区間の終了時に実行可能な初期化処理の対象となる項目は、前記設定変更が行われた場合に行われる初期化処理の対象となる項目に含まれるとともに、前記所定の遊技区間の終了時に実行可能な初期化処理は、前記設定変更が行われた場合に行われる初期化処理と同一の態様で行われることを特徴とする請求項１記載の遊技機。
【請求項３】
前記所定の遊技区間には、前記補助演出状態への移行が決定されている遊技期間を含むことを特徴とする請求項１又は２記載の遊技機。
【請求項４】
前記役には、入賞すると小役が入賞し易くなる特別遊技が行われるボーナスを含み、
前記所定の遊技区間には、前記ボーナスの入賞に基づく前記特別遊技が行われる遊技期間を含むことを特徴とする請求項１乃至３のいずれか１項に記載の遊技機。
【手続補正２】
【補正対象書類名】明細書
【補正対象項目名】０００６
【補正方法】変更
【補正の内容】
【０００６】
上記課題を解決するために、本発明は、以下のような構成を有する。
すなわち、本発明に係る遊技機（スロットマシンＳ）は、遊技媒体を投入して遊技が開始される遊技機であって、外周面に複数の図柄が付された複数の回転リール６１〜６３と、前記複数の回転リール６１〜６３を回転させるスタートスイッチ２０と、回転中の前記回転リール６１〜６３を個々に停止させる複数の停止スイッチ３１〜３３と、小役を含む複数種類の役について当選か否かの役抽選を行う役抽選手段１２０と、前記スタートスイッチ２０の操作信号の入力に基づき前記回転リール６１〜６３の回転を制御し、前記停止スイッチ３１〜３３の操作信号の入力に基づき回転中の前記回転リール６１〜６３の停止を制御するリール制御手段１３０と、特定役の入賞を補助する補助演出が行われる補助演出状態の開始及び終了を制御する補助演出制御手段（ＡＴ制御手段１７０）と、を備え、前記補助演出状態を開始し得る所定の遊技区間の終了時に、前記補助演出状態に関する有利度の設定を初期状態に戻す初期化処理を実行可能であることを特徴とする。
【手続補正３】
【補正対象書類名】明細書
【補正対象項目名】０００７
【補正方法】変更
【補正の内容】
【０００７】
ここで、補助演出状態に関する有利度の設定には、ＡＴ移行抽選の態様やＡＴの有利度に関するモードや次回ＡＴが保障される残遊技回数（いわゆる天井ゲーム数）などが含まれ、補助演出状態に関する有利度の設定を初期状態にすることには、初期状態の設定としてあらかじめ定められた設定に戻すことや、ＡＴ中に蓄積された判定情報（例えば有利状態に移行するためのポイントなど）をリセットすることのほか、あらかじめ定められた態様で所定の設定を決定するための抽選が行われることが含まれる。
本発明によれば、補助演出状態を含む所定の遊技区間の終了時に、所定の遊技区間中に発生した補助演出状態に関する有利度を変更する契機の有無にかかわらず、あらかじめ定められた初期化処理が行われるので、所定の遊技区間の終了後は、補助演出状態に関する有利度が相対的に低い状態となり、補助演出状態を連続して発生しにくくしたり、１回の補助演出状態の期間が長くなりすぎないようにすることができる。
【手続補正４】
【補正対象書類名】明細書
【補正対象項目名】０００８
【補正方法】変更
【補正の内容】
【０００８】
また、本発明に係る遊技機は、遊技媒体の想定払出数がそれぞれ異なる複数段階の出玉の設定を有し、設定変更操作部５０の操作に基づいて、前記出玉の設定を変更する設定変更制御手段１９０を備え、前記設定変更制御手段１９０により設定変更が行われた場合に、前記補助演出状態に関する所定の項目について初期化処理が行われるものとなっている。そして、前記所定の遊技区間の終了時に実行可能な初期化処理の対象となる項目は、前記設定変更が行われた場合に行われる初期化処理の対象となる項目に含まれるとともに、前記所定の遊技区間の終了時に実行可能な初期化処理では、前記設定変更が行われた場合に行われる初期化処理と同一の態様で初期化処理が行われるように形成することができる。
【手続補正５】
【補正対象書類名】明細書
【補正対象項目名】０００９
【補正方法】変更
【補正の内容】
【０００９】
なお、前記所定の遊技区間には、前記補助演出状態への移行が決定されている遊技期間が含まれていてもよい。「補助演出状態への移行が決定されている遊技期間」には、補助演出が行われないことにより獲得遊技媒体数が減少したり、獲得遊技媒体数を増加させることが困難である期間（例えば補助演出が行われないＡＲＴ準備状態やＡＴが開始される前のＡＴ潜伏状態等）が含まれる。
また、前記所定の遊技区間には、ボーナスの入賞に基づく特別遊技が行われる遊技期間（ボーナス作動中）が含まれていてもよい。
このように、「所定の遊技区間」には、少なくとも補助演出状態（小役の入賞が補助されることにより出玉が増える状態）が含まれていればよく、補助演出以外によって出玉が増える遊技期間や、一時的に出玉が減る遊技区間が含まれていてもよい。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段を備え、
前記メイン制御手段は、
特別遊技状態の開始条件を満たしたことに基づいて、特別遊技状態を開始するように制御し、
特別遊技状態では、特別役物の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能とし、
前記メイン制御手段は、
特別遊技状態において特別役物が作動しているときに実行される割込み処理では、特別遊技状態であり、かつ、特別役物が作動していることを示す試験信号を出力するための処理を実行可能とし、
特別遊技状態において特別役物が作動していない前記所定期間で実行される割込み処理では、特別遊技状態であり、かつ、特別役物が作動していないことを示す試験信号を出力するための処理を実行可能とし、
前記メイン制御手段は、割込み処理によって更新可能な所定のカウンタを備え、
前記所定のカウンタの値が更新されたことを判定可能な割込み待ち処理を実行可能とし、
割込み待ち処理を用いて、前記所定期間の待機処理を実行可能とすることを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】００１８
【補正方法】変更
【補正の内容】
【００１８】
本発明は、特別遊技状態中において、特別役物が一時非作動となりながら連続的に作動していることを試験装置に識別させることが可能な遊技機を提供することを目的とする。
【手続補正４】
【補正対象書類名】明細書
【補正対象項目名】００１９
【補正方法】変更
【補正の内容】
【００１９】
本発明に係る下記の遊技機は、以下のような特徴を備えている。なお、以下の特徴構成の説明では、後述する実施形態において対応する構成の一例を括弧書きで示している。
請求項１の遊技機は、遊技の進行を制御するメイン制御手段（例えば、主制御手段１００）を備え、前記メイン制御手段は、特別遊技状態（例えば、ＢＢ作動状態）の開始条件を満たしたことに基づいて、特別遊技状態を開始するように制御し、特別遊技状態では、特別役物（例えば、ＲＢ遊技）の作動を可能とし、特別遊技状態の終了条件を満たしていない場合において、特別役物の終了条件を満たしたときは特別役物の作動を終了し、所定期間の待機処理（例えば、待機時間待ち処理）を実行した後に、再度、特別役物の作動を開始可能とし、前記メイン制御手段は、前記所定期間において割込み処理を実行可能とし、前記メイン制御手段は、特別遊技状態において特別役物が作動しているときに実行される割込み処理では、特別遊技状態であり、かつ、特別役物が作動していることを示す試験信号を出力するための処理を実行可能とし、特別遊技状態において特別役物が作動していない前記所定期間で実行される割込み処理では、特別遊技状態であり、かつ、特別役物が作動していないことを示す試験信号を出力するための処理を実行可能とし、前記メイン制御手段は、割込み処理によって更新可能な所定のカウンタを備え、前記所定のカウンタの値が更新されたことを判定可能な割込み待ち処理を実行可能とし、割込み待ち処理を用いて、前記所定期間の待機処理を実行可能とすることを特徴とする。
【手続補正５】
【補正対象書類名】明細書
【補正対象項目名】００２０
【補正方法】変更
【補正の内容】
【００２０】
参考の第１のスロットマシンの制御基板（例えば、主制御基板６０）は、演算処理を行う処理装置（例えば、メインＩＣ）が有する所定の入力端子（例えば、端子ＰＩ０）に接続されるプルアップ抵抗（例えば、抵抗Ｒ１）またはプルダウン抵抗（例えば、抵抗Ｒ２）と、役抽選のための演算処理（例えば、役決定処理）を実行可能であり、かつ、前記所定の入力端子にプルアップ抵抗が接続されていれば役抽選の結果を試験装置に出力するための所定の演算処理（例えば、当選情報出力期間タイマを設定する処理）を実行可能であり、前記所定の入力端子にプルダウン抵抗が接続されていれば前記所定の演算処理を実行しない前記処理装置と、を実装してなることを特徴とする。
【手続補正６】
【補正対象書類名】明細書
【補正対象項目名】００２２
【補正方法】変更
【補正の内容】
【００２２】
参考の第２のスロットマシンの制御基板（例えば、主制御基板６０）は、演算処理を行う処理装置（例えば、メインＩＣ）が有する所定の入力端子（例えば、端子ＰＩ０）に接続されるプルアップ抵抗（例えば、抵抗Ｒ１）またはプルダウン抵抗（例えば、抵抗Ｒ２）と、役抽選のための演算処理（例えば、役決定処理）を実行可能であり、かつ、前記所定の入力端子にプルダウン抵抗が接続されていれば役抽選の結果を試験装置に出力するための所定の演算処理（例えば、当選情報出力期間タイマを設定する処理）を実行可能であり、前記所定の入力端子にプルアップ抵抗が接続されていれば前記所定の演算処理を実行しない前記処理装置と、を実装してなることを特徴とする。
【手続補正７】
【補正対象書類名】明細書
【補正対象項目名】００２４
【補正方法】変更
【補正の内容】
【００２４】
上記遊技機によれば、特別遊技状態中において、特別役物が一時非作動となりながら連続的に作動していることを試験装置に識別させることが可能となる。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段を備え、
前記メイン制御手段は、
特別遊技状態の開始条件を満たしたことに基づいて、特別遊技状態を開始するように制御し、
特別遊技状態では、特別役物の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能とし、
前記メイン制御手段は、
特別遊技状態において特別役物が作動しているときに実行される割込み処理では、特別遊技状態であり、かつ、特別役物が作動していることを示す試験信号を出力するための処理を実行可能とし、
特別遊技状態において特別役物が作動していない前記所定期間で実行される割込み処理では、特別遊技状態であり、かつ、特別役物が作動していないことを示す試験信号を出力するための処理を実行可能とし、
前記メイン制御手段は、割り込み処理によって更新可能な所定のカウンタを備え、
前記所定のカウンタの値が更新されたことを判定可能な割込み待ち処理を実行可能とし、
割込み待ち処理を用いて、前記所定期間の待機処理を実行可能とし、
試験信号を出力するためのコネクタは非実装としたことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】００１８
【補正方法】変更
【補正の内容】
【００１８】
本発明は、特別遊技状態中において、特別役物が一時非作動となりながら連続的に作動していることを試験装置に識別させることが可能な遊技機を提供することを目的とする。
【手続補正４】
【補正対象書類名】明細書
【補正対象項目名】００１９
【補正方法】変更
【補正の内容】
【００１９】
本発明に係る下記の遊技機は、以下のような特徴を備えている。なお、以下の特徴構成の説明では、後述する実施形態において対応する構成の一例を括弧書きで示している。
請求項１の遊技機は、遊技の進行を制御するメイン制御手段（例えば、主制御手段１００）を備え、前記メイン制御手段は、特別遊技状態（例えば、ＢＢ作動状態）の開始条件を満たしたことに基づいて、特別遊技状態を開始するように制御し、特別遊技状態では、特別役物（例えば、ＲＢ遊技）の作動を可能とし、特別遊技状態の終了条件を満たしていない場合において、特別役物の終了条件を満たしたときは特別役物の作動を終了し、所定期間の待機処理（例えば、待機時間待ち処理）を実行した後に、再度、特別役物の作動を開始可能とし、前記メイン制御手段は、前記所定期間において割込み処理を実行可能とし、前記メイン制御手段は、特別遊技状態において特別役物が作動しているときに実行される割込み処理では、特別遊技状態であり、かつ、特別役物が作動していることを示す試験信号を出力するための処理を実行可能とし、特別遊技状態において特別役物が作動していない前記所定期間で実行される割込み処理では、特別遊技状態であり、かつ、特別役物が作動していないことを示す試験信号を出力するための処理を実行可能とし、前記メイン制御手段は、割込み処理によって更新可能な所定のカウンタを備え、前記所定のカウンタの値が更新されたことを判定可能な割込み待ち処理を実行可能とし、割込み待ち処理を用いて、前記所定期間の待機処理を実行可能とし、試験信号を出力するためのコネクタは非実装としたことを特徴とする。
【手続補正５】
【補正対象書類名】明細書
【補正対象項目名】００２０
【補正方法】変更
【補正の内容】
【００２０】
参考の第１のスロットマシンは、主制御手段と、所定の入力端子（例えば、端子ＰＩ０）と、を備え、主制御手段は、役抽選のための処理（例えば、役決定処理）を実行可能な役抽選手段（例えば、役決定手段１３２）と、役抽選の結果を試験装置に出力するための所定の処理（例えば、当選情報出力期間タイマを設定する処理）を実行可能な出力管理手段（例えば、試験仕様制御手段１１８）と、を有しており、出力管理手段は、前記所定の入力端子の電圧状態（例えば、電位レベル）が特定の状態（例えば、試験時レベル）であるときは、前記所定の処理を実行可能であり、前記所定の入力端子の状態が前記特定の状態でないときは、前記所定の処理を実行しない、ことを特徴とする。
【手続補正６】
【補正対象書類名】明細書
【補正対象項目名】００２２
【補正方法】変更
【補正の内容】
【００２２】
上記遊技機によれば、特別遊技状態中において、特別役物が一時非作動となりながら連続的に作動していることを試験装置に識別させることが可能となる。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段を備え、
前記メイン制御手段は、
特別遊技状態の開始条件を満たしたことに基づいて、特別遊技状態を開始するように制御し、
特別遊技状態では、特別役物の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能とし、
特別遊技状態において特別役物が作動しているときに実行される割込み処理では、特別遊技状態であり、かつ、特別役物が作動していることを示す試験信号を出力するための処理を実行可能とし、
特別遊技状態において特別役物が作動していない前記所定期間で実行される割込み処理では、特別遊技状態であり、かつ、特別役物が作動していないことを示す試験信号を出力するための処理を実行可能とし、
試験信号を出力するためのコネクタは非実装としたことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】００１８
【補正方法】変更
【補正の内容】
【００１８】
本発明は、特別遊技状態中において、特別役物が一時非作動となりながら連続的に作動していることを試験装置に識別させることが可能な遊技機を提供することを目的とする。
【手続補正４】
【補正対象書類名】明細書
【補正対象項目名】００１９
【補正方法】変更
【補正の内容】
【００１９】
本発明に係る下記の遊技機は、以下のような特徴を備えている。なお、以下の特徴構成の説明では、後述する実施形態において対応する構成の一例を括弧書きで示している。
請求項１の遊技機は、遊技の進行を制御するメイン制御手段（例えば、主制御手段１００）を備え、前記メイン制御手段は、特別遊技状態（例えば、ＢＢ作動状態）の開始条件を満たしたことに基づいて、特別遊技状態を開始するように制御し、特別遊技状態では、特別役物（例えば、ＲＢ遊技）の作動を可能とし、特別遊技状態の終了条件を満たしていない場合において、特別役物の終了条件を満たしたときは特別役物の作動を終了し、所定期間の待機処理（例えば、待機時間待ち処理）を実行した後に、再度、特別役物の作動を開始可能とし、前記メイン制御手段は、前記所定期間において割込み処理を実行可能とし、特別遊技状態において特別役物が作動しているときに実行される割込み処理では、特別遊技状態であり、かつ、特別役物が作動していることを示す試験信号を出力するための処理を実行可能とし、特別遊技状態において特別役物が作動していない前記所定期間で実行される割込み処理では、特別遊技状態であり、かつ、特別役物が作動していないことを示す試験信号を出力するための処理を実行可能とし、試験信号を出力するためのコネクタは非実装としたことを特徴とする。
【手続補正５】
【補正対象書類名】明細書
【補正対象項目名】００２０
【補正方法】変更
【補正の内容】
【００２０】
参考の第１のスロットマシンの制御基板（例えば、主制御基板６０）は、演算処理を行う処理装置（例えば、メインＩＣ）が有する所定の入力端子（例えば、端子ＰＩ０）に接続される、前記所定の入力端子の電圧状態（例えば、電位レベル）を特定の状態（例えば、Ｌレベル）にする第１の分圧回路（例えば、抵抗Ｒ５が実装された分圧回路）、または、前記所定の入力端子の電圧状態を前記特定の状態とは異なる所定の状態（例えば、Ｈレベル）にする第２の分圧回路（例えば、抵抗Ｒ５が実装されていない分圧回路）と、役抽選のための演算処理（例えば、役決定処理）を実行可能であり、かつ、前記所定の入力端子に前記第１の分圧回路が接続されていれば役抽選の結果を試験装置に出力するための所定の演算処理（例えば、当選情報出力期間タイマを設定する処理）を実行可能であり、前記所定の入力端子に前記第２の分圧回路が接続されていれば前記所定の演算処理を実行しない前記処理装置と、を実装してなることを特徴とする。
【手続補正６】
【補正対象書類名】明細書
【補正対象項目名】００２２
【補正方法】変更
【補正の内容】
【００２２】
上記遊技機によれば、特別遊技状態中において、特別役物が一時非作動となりながら連続的に作動していることを試験装置に識別させることが可能となる。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
抗C5抗体を製造する方法であって、C5のβ鎖のMG1-MG2ドメイン(配列番号：43)を含むポリペプチドに対して動物を免疫化する工程を含む、方法。
【請求項２】
抗C5抗体を製造する方法であって、C5のβ鎖(配列番号：40)の位置33-124のアミノ酸に対応する領域を含むポリペプチドに対して動物を免疫化する工程を含む、方法。
【請求項３】
抗C5抗体を製造する方法であって、C5のβ鎖(配列番号：40)のアミノ酸47-57、70-76、および107-110から選択される少なくとも1つの断片を含むポリペプチドに対して動物を免疫化する工程を含む、方法。
【請求項４】
抗C5抗体を製造する方法であって、Glu48、Asp51、His70、His72、Lys109、およびHis110から選択される少なくとも1つのアミノ酸を含む、C5のβ鎖(配列番号：40)の断片を含むポリペプチドに対して動物を免疫化する工程を含む、方法。
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
内側に隔壁を備える筒状のケースと、
回転軸を中心に回転できる第１ロータコア及び前記第１ロータコアと共に回転する第１被検出部材を備える第１モータと、
前記隔壁に連結されており、且つ前記第１被検出部材に対向する第１回転角度検出器と、
前記第１回転角度検出器に接続される第１信号線と、
前記回転軸を中心に回転できる第２ロータコア及び前記第２ロータコアと共に回転する第２被検出部材を備え、前記第１モータに対して前記隔壁を挟んだ反対側に配置されている第２モータと、
前記隔壁に連結されており且つ前記第２被検出部材に対向する第２回転角度検出器と、
前記第２回転角度検出器に接続される第２信号線と、
前記第１モータ及び前記第２モータに連結されており且つ減速比を切り替えることができる変速機構と、
を備え、
前記回転軸に沿う方向から見て、前記第１信号線の前記第１回転角度検出器側の根本と前記回転軸とを通る第１直線が、前記第２信号線の前記第２回転角度検出器側の根本と前記回転軸を通る第２直線に重なり、
前記第１回転角度検出器は、前記第１モータの周方向で一部に配置されており、
前記第１回転角度検出器に対する前記第１信号線の接続位置は、前記第１回転角度検出器の外周面の前記周方向における中央からずれており、
前記第２回転角度検出器は、前記周方向で一部に配置されており、
前記第２回転角度検出器に対する前記第２信号線の接続位置は、前記第２回転角度検出器の外周面の前記周方向における中央からずれている
電動車両駆動装置。
【請求項２】
前記周方向で、前記第２回転角度検出器の位置は前記第１回転角度検出器の位置に対してずれている
請求項１に記載の電動車両駆動装置。
【請求項３】
前記変速機構は、
前記第１モータに連結されるサンギアシャフトと、
前記サンギアシャフトと共に回転する第１サンギアと、
前記第１サンギアと噛み合う第１ピニオンギアと、
前記第１ピニオンギアが自転できるように、且つ前記第１ピニオンギアが前記第１サンギアを中心に公転できるように前記第１ピニオンギアを保持する第１キャリアと、
前記第１キャリアの回転を規制できるクラッチ装置と、
を備え、
前記クラッチ装置は、
前記第１キャリアに連結される内輪と、
前記隔壁に連結される外輪と、
前記外輪から前記第１モータの径方向に突出し且つ前記隔壁に対向する複数の鍔部と、
を備え、
前記複数の鍔部は、前記周方向の一部に偏在して配置され、
前記第１回転角度検出器及び前記第２回転角度検出器の少なくとも一方は、前記周方向の一端の前記鍔部と他端の前記鍔部との間に配置されている
請求項１又は２に記載の電動車両駆動装置。
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
情報記録媒体が搬送される搬送路と、
前記搬送路に沿って前記情報記録媒体を搬送する搬送部と、
前記搬送路に配置され、前記搬送部により搬送される前記情報記録媒体に記録された情報を読み取る読取部と、
前記搬送部により搬送される前記情報記録媒体がカードであるか否かを判定する媒体種類判定部と、
前記搬送部によって搬送された前記情報記録媒体を排出する排出口と、
前記搬送部を制御する搬送制御部と
を備え、
前記排出口は、前記搬送部によって搬送される複数種類の前記情報記録媒体が排出される共通の排出口であり、
前記搬送制御部は、
前記媒体種類判定部の判定結果に基づいて前記搬送部を制御することで、前記排出口に対するカードの排出姿勢を変更することを特徴とする情報読取装置。
【請求項２】
前記排出口から排出スタッカーに排出された前記情報記録媒体を前記排出スタッカーの側面に押し付けて前記情報記録媒体の排出状態を整えるための押圧板と
前記搬送部であって、前記排出口の付近に配置された排出手段と
を備え、
前記搬送制御部は、前記媒体種類判定部によって前記情報記録媒体がカードであると判定した場合に、前記排出手段によって搬送可能な位置で前記情報記録媒体の後端が停止するように、前記搬送部を制御することを特徴とする請求項１に記載の情報読取装置。
【請求項３】
前記搬送部より上流側に設置され、前記情報記録媒体を搬送するために前記情報記録媒体を設置する給紙口を複数有し、
前記媒体種類判定部は、前記情報記録媒体がセットされた前記給紙口の位置に基づいて前記情報記録媒体の種類を判定することを特徴とする請求項２に記載の情報読取装置。
【請求項４】
前記排出手段は、前記搬送路を挟んで対向するローラー対を有し、
前記排出手段が前記排出口に隣接して配置され、
前記搬送制御部は、
前記媒体種類判定部の判定により前記情報記録媒体がカードであると判定した場合に、前記ローラー対に挟まれて前記情報記録媒体の後端が停止するように前記排出手段を制御する挟持排出制御を行うことを特徴とする請求項３に記載の情報読取装置。
【請求項５】
カードを載置する前記給紙口に前記情報記録媒体が載置されたことを検知するカード検知部と、
前記挟持排出制御を行った前記情報記録媒体が前記ローラー対に挟まれて停止されていることを検知する排出検知部と
をさらに備え、
前記カード検知部により前記情報記録媒体が前記給紙口に載置されたことを検知したときに、前記排出検知部により他の前記情報記録媒体が前記ローラー対に挟まれて停止していることを検知すると、
前記搬送制御部が、前記排出手段から前記情報記録媒体を排出するように前記排出手段を制御することを特徴とする請求項４に記載の情報読取装置。
【請求項６】
カードを載置する前記給紙口に前記情報記録媒体が載置されたことを検知するカード検知部と、
前記挟持排出制御を行った前記情報記録媒体が前記ローラー対に挟まれて停止されていることを検知する排出検知部と、
報知を行う報知部と
をさらに備え、
前記カード検知部により前記情報記録媒体が前記給紙口に載置されたことを検知したときに、前記排出検知部により他の前記情報記録媒体が前記ローラー対に挟まれて停止していることを検知すると、前記報知部による報知を行うことを特徴とする請求項５に記載の情報読取装置。
【請求項７】
カードを載置する前記給紙口に前記情報記録媒体が載置されたことを検知するカード検知部を備え、
前記搬送制御部が前記挟持排出制御を行った直後に、
前記カード検知部により前記情報記録媒体が前記給紙口に載置されたことを検知すると、
前記搬送制御部が、前記排出手段から前記情報記録媒体を排出するように前記排出手段を制御することを特徴とする請求項５に記載の情報読取装置。
【手続補正書】
【提出日】平成31年4月8日(2019.4.8)
【手続補正１】
【補正対象書類名】明細書
【補正対象項目名】００１１
【補正方法】変更
【補正の内容】
【００１１】
上記目的を達成するために、本発明の撮像装置は、レンズユニット及び発熱部材が内部空間に設けられ、前記内部空間が第１の密閉空間と第２の密閉空間とに開口部を介して分割されている装置本体と、前記開口部を開閉する弁部材と、前記弁部材を開閉動作させる開閉手段と、前記開閉手段による前記弁部材の開閉動作を制御する制御手段と、を備えることを特徴とする。
【手続補正２】
【補正対象書類名】特許請求の範囲
【補正対象項目名】全文
【補正方法】変更
【補正の内容】
【特許請求の範囲】
【請求項１】
レンズユニット及び発熱部材が内部空間に設けられ、前記内部空間が第１の密閉空間と第２の密閉空間とに開口部を介して分割されている装置本体と、
前記開口部を開閉する弁部材と、
前記弁部材を開閉動作させる開閉手段と、
前記開閉手段による前記弁部材の開閉動作を制御する制御手段と、を備えることを特徴とする撮像装置。
【請求項２】
前記開閉手段は、前記弁部材を開閉駆動する駆動部であることを特徴とする請求項１に記載の撮像装置。
【請求項３】
前記発熱部材は、基板に実装された電気部品であって、前記第１の密閉空間に配置されており、
前記レンズユニットは、前記第２の密閉空間に配置されていることを特徴とする請求項１又は２に記載の撮像装置。
【請求項４】
前記レンズユニットを構成するレンズホルダを光軸方向に駆動するレンズ駆動部、及び前記発熱部材は、前記第１の密閉空間に配置されていることを特徴とする請求項１乃至３のいずれか一項に記載の撮像装置。
【請求項５】
前記内部空間の前記第１の密閉空間の側には、前記レンズユニットの撮影用開口部を保護して、被写体からの光束を前記レンズユニットに入射させるカバーが設けられ、
前記撮影用開口部、及び前記発熱部材は、前記第１の密閉空間に配置されていることを特徴とする請求項１乃至４のいずれか一項に記載の撮像装置。
【請求項６】
被写体に向けて照明光を照射する照明手段を備え、
前記発熱部材は、前記照明手段で発生した熱を吸熱して放熱する部材であることを特徴とする請求項１乃至５のいずれか一項に記載の撮像装置。
【請求項７】
前記発熱部材は、ヒータであることを特徴とする請求項１乃至５のいずれか一項に記載の撮像装置。
【請求項８】
前記開閉手段は、駆動されることで、前記第１の密閉空間と前記第２の密閉空間との間に気圧差を生じさせて前記弁部材を開く送風手段であることを特徴とする請求項３乃至７のいずれか一項に記載の撮像装置。
【請求項９】
前記内部空間の温度を検出する検出手段を、さらに備え、
前記制御手段は、前記検出手段による前記内部空間の温度の検出情報に基づいて、前記開閉手段により前記弁部材を開閉するか否かを決定して、前記開閉手段による前記弁部材の開閉動作を制御することを特徴とする請求項１乃至８のいずれか一項に記載の撮像装置。
【請求項１０】
請求項１乃至８のいずれか一項に記載の撮像装置と、前記撮像装置と通信手段を介して通信可能に接続された監視装置と、を備え、
前記監視装置は、内部空間の温度を検出する検出手段による前記内部空間の温度の検出情報を前記通信手段を介して取得する取得手段と、
前記取得手段によって取得した前記検出情報に基づいて、前記制御手段に対して前記開閉手段による前記弁部材の開閉動作を前記通信手段を介して指示する指示手段と、を備えることを特徴とする画像監視システム。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
パブリックノード群とプライベートノード群とを有するネットワークにおいて前記プラ イベートノード群を構成するプライベートノードにおける処理方法であって、
前記パブリックノード群から受信した複数のトランザクションを有するブロックを生成 するステップと、
前記ブロックの承認依頼を前記プライベートノード群に送信するステップと、
前記前記プライベートノード群のうちの少なくともいずれかから承認結果を受け取るステップと、
前記前記プライベートノード群のうちの所定の数により承認が得られたことを条件に前記ブロックを確定させてブロックチェーンに追加するステップと
を含み、
ブロックの前記確定におけるコンセンサスアルゴリズムは、公開鍵暗号を用いた多重署名であることを特徴とする処理方法。
【請求項２】
コンピュータに、パブリックノード群とプライベートノード群とを有するネットワークにおいて前記プラ イベートノード群を構成するプライベートノードにおける処理方法を実行させるためのプログラムであって、前記処理方法は、
前記パブリックノード群から受信した複数のトランザクションを有するブロックを生成するステップと、
前記ブロックの承認依頼を前記プライベートノード群に送信するステップと、
前記前記プライベートノード群のうちの少なくともいずれかから承認結果を受け取るステップと、
前記前記プライベートノード群のうちの所定の数により承認が得られたことを条件に前記ブロックを確定させてブロックチェーンに追加するステップと
を含み、
ブロックの前記確定におけるコンセンサスアルゴリズムは、公開鍵暗号を用いた多重署名であることを特徴とするプログラム。
【請求項３】
パブリックノード群とプライベートノード群とを有するネットワークにおいて前記プラ イベートノード群を構成するプライベートノードであって、
前記パブリックノード群から受信した複数のトランザクションを有するブロックを生成して前記ブロックの承認依頼を前記プライベートノード群に送信し、
前記前記プライベートノード群のうちの少なくともいずれかから承認結果を受け取り、
前記前記プライベートノード群のうちの所定の数により承認が得られたことを条件に前記ブロックを確定させてブロックチェーンに追加し、
ブロックの前記確定におけるコンセンサスアルゴリズムは、公開鍵暗号を用いた多重署名であることを特徴とするプライベートノード。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
行列状に配列され、各々が放射線又は光に応じた電気信号が非破壊で読み出される複数の画素と、
前記複数の画素から非破壊で読み出された電気信号を順に出力する出力アンプと、
前記複数の画素から１のフレーム画像データとなる電気信号が非破壊で読み出される期間に、前記複数の画素のうちある行の画素の夫々から電気信号が非破壊で読み出される非破壊読み出し処理を複数回行い、その後に次の行の画素の夫々から電気信号が非破壊で読み出される非破壊読み出し処理を複数回行う制御部と、
を有する撮像装置であって、
前記制御部は、前記ある行の画素の非破壊読み出し処理を複数回行う間に前記出力アンプのリセットを行う、ことを特徴とする撮像装置。
【請求項２】
前記制御部は、前記ある行の画素の複数回の非破壊読み出し処理のうち２回目以降の非破壊読み出し処理の開始の指示に応じて前記出力アンプのリセットを行う、ことを特徴とする請求項１に記載の撮像装置。
【請求項３】
前記制御部は、前記複数の画素の選択を行単位で行う行選択回路と、前記複数の画素の選択を列単位で行う列選択回路と、前記行選択回路と前記列選択回路と前記出力アンプとを制御する制御回路と、を含み、
前記制御回路は、前記行選択回路が前記ある行の画素の選択を行っている期間において、ａを１以上の自然数とすると、前記列選択回路が前記ある行の画素のａ回目の選択を最後に行う最後の列の画素のａ回目の選択を行ってから前記ある行の画素のａ＋１回目の選択を最初に行う最初の列の画素のａ＋１回目の選択を行うまでの間に、前記出力アンプのリセットを行うことを特徴とする請求項１又は２に記載の撮像装置。
【請求項４】
前記制御回路は、前記行選択回路に前記ある行の画素の選択を開始させる行選択開始信号と、前記列選択回路に列単位での前記複数の画素の選択を開始させる列選択開始信号と、を出力し、
前記列選択回路は、前記行選択開始信号に応じた１個目の前記列選択開始信号に基づいて前記ある行の複数の画素の１回目の選択を開始し、前記行選択開始信号に応じたａ＋１個目の前記列選択開始信号に基づいて前記ａ＋１回目の選択を開始し、
前記制御回路は、前記ａ＋１個目の前記列選択開始信号に応じて前記出力アンプのリセットを行うことを特徴とする請求項３に記載の撮像装置。
【請求項５】
前記出力アンプのリセットは、前記出力アンプの入力に基準電圧を供給して前記出力アンプの出力を固定することによって行われる請求項１〜４のいずれか１項に記載の撮像装置。
【請求項６】
前記基準電圧は、前記複数の画素に前記放射線又は光が照射されていないときに前記複数の画素から読み出された電気信号と略等しいことを特徴とする請求項５に記載の撮像装置。
【請求項７】
前記基準電圧を供給する電圧供給部を更に含むことを特徴とする請求項５又は６に記載の撮像装置。
【請求項８】
前記複数の画素は単結晶半導体からなる撮像基板に設けられており、前記出力アンプは前記撮像基板とは別の回路基板に設けられていることを特徴とする請求項７に記載の撮像装置。
【請求項９】
前記電圧供給部は、前記撮像基板と前記回路基板との間で電気的に接続されていることを特徴とする請求項８に記載の撮像装置。
【請求項１０】
前記電圧供給部は、前記撮像基板に設けられており、前記複数の画素と前記出力アンプの間で電気的に接続されていることを特徴とする請求項８に記載の撮像装置。
【請求項１１】
前記複数の画素は、夫々、放射線又は光を電荷に変換する変換部と、前記電荷を増幅するための増幅部と、前記変換部で変換された電荷が前記増幅部で増幅された信号を保持するための保持部と、を備えることを特徴とする請求項８から１０のいずれか１項に記載の撮像装置。
【請求項１２】
前記保持部は、第１感度の前記変換部で変換された電荷が前記増幅部で増幅された第１信号を保持するための第１保持部と、前記１感度と異なる第２感度の前記変換部で変換された電荷が前記増幅部で増幅された第２信号を保持するための第２保持部と、前記増幅部のオフセット信号を保持するための第３保持部と、を含むことを特徴とする請求項１１に記載の撮像装置。
【請求項１３】
前記出力アンプは差動アンプであり、
導通することにより前記差動アンプの反転入力端子に前記第１信号を入力させる第１スイッチと、導通することにより前記反転入力端子に前記第２信号を入力させる第２スイッチと、導通することにより前記反転入力端子に前記基準電圧を入力させる第３スイッチと、導通することにより前記差動アンプの非反転入力端子に前記オフセット信号を入力させる第４スイッチと、導通することにより前記非反転入力端子に前記基準電圧を入力させる第５のスイッチと、を更に含むことを特徴とする請求項１２に記載の撮像装置。
【請求項１４】
前記回路基板は、前記出力アンプから出力されたアナログ信号である前記電気信号をデジタル信号に変換するＡ／Ｄ変換器と、前記Ａ／Ｄ変換器からのデジタル信号に基づいて前記出力アンプ及び前記Ａ／Ｄ変換器のオフセット成分を補正するための補正用電圧を前記出力アンプの入力に供給する補正部と、を含み、
前記制御回路は、前記補正部が前記補正用電圧を出力している場合には前記電圧供給部による前記基準電圧の供給を行わないように制御することを特徴とする請求項８から１３のいずれか１項に記載の撮像装置。
【請求項１５】
前記変換素子は、前記放射線を光に変換する波長変換体と、前記光を前記電荷に変換する光電変換素子と、を含むことを特徴とする請求項１１から１４のいずれか１項に記載の撮像装置。
【請求項１６】
請求項１から１５のいずれか１項に記載の撮像装置と、
前記撮像装置からの信号を処理する処理装置と、
前記撮像装置に向けて放射線を発生する放射線発生装置と、
を備えることを特徴とする放射線撮像システム。
【手続補正２】
【補正対象書類名】明細書
【補正対象項目名】０００７
【補正方法】変更
【補正の内容】
【０００７】
本発明の撮像装置は、行列状に配列され、各々が放射線又は光に応じた電気信号が非破壊で読み出される複数の画素と、前記複数の画素から非破壊で読み出された電気信号を順に出力する出力アンプと、前記複数の画素から１のフレーム画像データとなる電気信号が非破壊で読み出される期間に、前記複数の画素のうちある行の画素の夫々から電気信号が非破壊で読み出される非破壊読み出し処理を複数回行い、その後に次の行の画素の夫々から電気信号が非破壊で読み出される非破壊読み出し処理を複数回行う制御部と、を有する撮像装置であって、前記制御部は、前記ある行の画素の非破壊読み出し処理を複数回行う間に前記出力アンプのリセットを行う、ことを特徴とする。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
画像の各画素について、前記画像の奥行き方向における位置を特定する第１位置情報と前記画像の光沢を示す光沢情報とを取得する第１取得手段と、
前記画像の奥行き方向における注目位置を特定する第２位置情報を取得する第２取得手段と、
前記第１位置情報と前記第２位置情報とに基づいて、前記注目位置とは異なる位置に対応する領域の光沢差を低減するように、前記光沢情報を補正する補正手段と、
を有することを特徴とする画像処理装置。
【請求項２】
前記第１位置情報は、撮像によって得られる情報であり、
前記注目位置は、前記画像において前記撮像の焦点が合っている位置として特定されることを特徴とする請求項１に記載の画像処理装置。
【請求項３】
前記注目位置は、ユーザの指示によって特定される位置であることを特徴とする請求項１に記載の画像処理装置。
【請求項４】
前記光沢情報の補正に用いる光沢基準値を取得する第３取得手段をさらに有し、
前記補正手段は、前記注目位置とは異なる位置に対応する領域の前記光沢情報が示す光沢度を前記光沢基準値に近付けることを特徴とする請求項１乃至請求項３のいずれか一項に記載の画像処理装置。
【請求項５】
前記補正手段は、前記注目位置とは異なる位置に対応する領域の光沢度を、前記注目位置とは異なる位置に対応する領域に含まれる前記光沢情報が示す光沢度の平均値とすることを特徴とする請求項１乃至請求項３のいずれか一項に記載の画像処理装置。
【請求項６】
前記補正手段は、前記第１位置情報が特定する位置と前記注目位置との間の距離が大きいほど、前記平均値を算出する領域のサイズを大きくすることを特徴とする請求項５に記載の画像処理装置。
【請求項７】
前記第１位置情報及び前記第２位置情報は、前記画像の奥行き方向における距離であることを特徴とする請求項１乃至請求項６のいずれか一項に記載の画像処理装置。
【請求項８】
前記第１位置情報及び前記第２位置情報は、前記画像の奥行き方向における座標であることを特徴とする請求項１乃至請求項６のいずれか一項に記載の画像処理装置。
【請求項９】
前記補正された光沢情報に基づいて、クリア材の記録量を決定する決定手段をさらに有し、
前記画像は前記クリア材を用いて記録媒体上に形成されることを特徴とする請求項１乃至請求項８のいずれか一項に記載の画像処理装置。
【請求項１０】
前記クリア材の記録量に基づいて、前記記録媒体上に前記画像を形成する形成制御手段をさらに有することを特徴とする請求項９に記載の画像処理装置。
【請求項１１】
前記第１位置情報が特定する位置と前記注目位置との間の距離における閾値を取得する第４取得手段をさらに有し、
前記形成制御手段は、前記位置情報が特定する位置と前記注目位置との間の距離が前記閾値を越える領域は前記クリア材の記録を行わないように制御することを特徴とする請求項１０に記載の画像処理装置。
【請求項１２】
画像の各画素について、前記画像の奥行き方向における位置を特定する第１位置情報と前記画像の光沢を示す光沢情報とを取得する第１取得ステップと、
前記画像の奥行き方向における注目位置を特定する第２位置情報を取得する第２取得ステップと、
前記第１位置情報と前記第２位置情報とに基づいて、前記注目位置とは異なる位置に対応する領域の光沢差を低減するように、前記光沢情報を補正する補正ステップと、
を有することを特徴とする画像処理方法。
【請求項１３】
コンピュータを請求項１乃至請求項１１のいずれか一項に記載の画像処理装置の各手段として機能させるためのプログラム。
【手続補正２】
【補正対象書類名】明細書
【補正対象項目名】０００６
【補正方法】変更
【補正の内容】
【０００６】
上記課題を解決するために、本発明に係る画像処理装置は、画像の各画素について、前記画像の奥行き方向における位置を特定する第１位置情報と前記画像の光沢を示す光沢情報とを取得する第１取得手段と、前記画像の奥行き方向における注目位置を特定する第２位置情報を取得する第２取得手段と、前記第１位置情報と前記第２位置情報とに基づいて、前記注目位置とは異なる位置に対応する領域の光沢差を低減するように、前記光沢情報を補正する補正手段と、を有することを特徴とする。
【手続補正書】
【提出日】平成31年4月10日(2019.4.10)
【手続補正１】
【補正対象書類名】明細書
【補正対象項目名】０００６
【補正方法】変更
【補正の内容】
【０００６】
上記課題を解決するため、本発明に係る出力装置の一態様は、
撮影対象の被写体が所定の動作を開始すべきタイミングである第１のタイミングを報知する報知手段と、
前記報知手段による前記第１のタイミングの報知前から当該第１のタイミングを含む所定時間の間において前記被写体が連続して撮影された連続撮影画像を取得する取得手段と、
前記取得手段により取得された前記連続撮影画像に基づいて前記被写体が前記所定の動作を開始した動作開始タイミングを検出する検出手段と、
前記検出手段により検出された前記動作開始タイミングと、前記報知手段により報知された前記第１のタイミングと、の関係を出力する出力手段と、
を備えることを特徴とする。
【手続補正２】
【補正対象書類名】明細書
【補正対象項目名】０００７
【補正方法】変更
【補正の内容】
【０００７】
また、本発明に係る出力装置の他の態様は、
撮影対象の被写体が所定の動作を開始すべきタイミングである第１のタイミングを報知する報知手段と、
前記報知手段による前記第１のタイミングの報知前から当該第１のタイミングを含む所定時間の間において前記被写体が連続して撮影された連続撮影画像を取得する取得手段と、
前記第１のタイミングとともに前記取得手段により取得された前記連続撮影画像を逐次出力する出力手段と、
を備えることを特徴とする。
【手続補正３】
【補正対象書類名】特許請求の範囲
【補正対象項目名】請求項１
【補正方法】変更
【補正の内容】
【請求項１】
撮影対象の被写体が所定の動作を開始すべきタイミングである第１のタイミングを報知する報知手段と、
前記報知手段による前記第１のタイミングの報知前から当該第１のタイミングを含む所定時間の間において前記被写体が連続して撮影された連続撮影画像を取得する取得手段と、
前記取得手段により取得された前記連続撮影画像に基づいて前記被写体が前記所定の動作を開始した動作開始タイミングを検出する検出手段と、
前記検出手段により検出された前記動作開始タイミングと、前記報知手段により報知された前記第１のタイミングと、の関係を出力する出力手段と、
を備えることを特徴とする出力装置。
【手続補正４】
【補正対象書類名】特許請求の範囲
【補正対象項目名】請求項１０
【補正方法】変更
【補正の内容】
【請求項１０】
撮影対象の被写体が所定の動作を開始すべきタイミングである第１のタイミングを報知する報知手段と、
前記報知手段による前記第１のタイミングの報知前から当該第１のタイミングを含む所定時間の間において前記被写体が連続して撮影された連続撮影画像を取得する取得手段と、
前記第１のタイミングとともに前記取得手段により取得された前記連続撮影画像を逐次出力する出力手段と、
を備えることを特徴とする出力装置。
【手続補正５】
【補正対象書類名】特許請求の範囲
【補正対象項目名】請求項１１
【補正方法】変更
【補正の内容】
【請求項１１】
撮影対象の被写体が所定の動作を開始すべきタイミングである第１のタイミングを報知する処理と、
前記第１のタイミングの報知前から当該第１のタイミングを含む所定時間の間において前記被写体が連続して撮影された連続撮影画像を取得する処理と、
取得された前記連続撮影画像に基づいて前記被写体が前記所定の動作を開始した動作開始タイミングを検出する処理と、
検出された前記動作開始タイミングと、報知された前記第１のタイミングと、の関係を出力する処理と、
を含むことを特徴とする出力処理方法。
【手続補正６】
【補正対象書類名】特許請求の範囲
【補正対象項目名】請求項１２
【補正方法】変更
【補正の内容】
【請求項１２】
撮影対象の被写体が所定の動作を開始すべきタイミングである第１のタイミングを報知する処理と、
前記第１のタイミングの報知前から当該第１のタイミングを含む所定時間の間において前記被写体が連続して撮影された連続撮影画像を取得する処理と、
前記第１のタイミングとともに取得された前記連続撮影画像を逐次出力する処理と、
を含むことを特徴とする出力処理方法。
【手続補正７】
【補正対象書類名】特許請求の範囲
【補正対象項目名】請求項１３
【補正方法】変更
【補正の内容】
【請求項１３】
コンピュータに、
撮影対象の被写体が所定の動作を開始すべきタイミングである第１のタイミングを報知する報知機能、
前記報知機能による前記第１のタイミングの報知前から当該第１のタイミングを含む所定時間の間において前記被写体が連続して撮影された連続撮影画像を取得する取得機能、
前記取得機能により取得された前記連続撮影画像に基づいて前記被写体が前記所定の動作を開始した動作開始タイミングを検出する検出機能、
前記検出機能により検出された前記動作開始タイミングと、前記報知機能により報知された前記第１のタイミングと、の関係を出力する出力機能、
を実現させることを特徴とするプログラム。
【手続補正８】
【補正対象書類名】特許請求の範囲
【補正対象項目名】請求項１４
【補正方法】変更
【補正の内容】
【請求項１４】
コンピュータに、
撮影対象の被写体が所定の動作を開始すべきタイミングである第１のタイミングを報知する報知機能、
前記報知機能による前記第１のタイミングの報知前から当該第１のタイミングを含む所定時間の間において前記被写体が連続して撮影された連続撮影画像を取得する取得機能、
前記第１のタイミングとともに前記取得機能により取得された前記連続撮影画像を逐次出力する出力機能、
を実現させることを特徴とするプログラム。